(57)【要約】      （修正有）【課題】人間の音声信号により作動する負荷例えば暗夜で点灯制御をするランプで、乾電池を電源とするもので、待機時の消費電流が僅少な装置を得る。【解決手段】音波を受信してその周波数に対応する交流電圧を得る可動コイル型マイクロホン２と、該マイクロホン２の出力をハイパスフイルタを介して５〜８ＫＣ位以上の交流出力を得る電気回路と、該交流出力により入力雷圧の複数倍の高電圧を得るトランス１０とコンデンサ５ａ，５ｂ，５ｃとダイオード６ａ，６ｂよりなる整流回路と、該整流回路の出力をコンデンサに充電し、充電電圧が設定値を越えたときに導通されるＦＥＴと、当該ＦＥＴの導通により通電制御されて、電池により設定時間だけ通電する負荷とより構成されたものである。【選択図】図１
2013187186.tif 000002
【特許請求の範囲】
【請求項１】
音波を受信してその周波数に対応する交流電圧を発生する可動コイル型のマイクロホンと、該マイクロホンの出力をハイパスフイルタ回路を介して５〜８ＫＣ位以上の交流出力を得る電気回路と、該電気回路の交流出力をトランスとコンデンサとダイオードよりなる増巾整流回路により入力電圧の複数倍の高い電圧の直流電圧を得る整流回路と、該直流電圧により充電されるコンデンサと、該コンデンサの充電電圧が設定値を越えたときに、該充電電圧により導通されるＦＥＴ（電界効果型トランジスタ）と、該ＦＥＴの導通により電池より負荷を設定された時間だけ通電する装置とより構成されたことを特徴とする電力消費の僅少なリモートコントロール装置。
【発明の詳細な説明】
【技術分野】
【０００１】人間の音声信号により点灯制御のできる例えば照明器具で、電源として乾電池を利用するものに適用される。玩具等にも利用することができる。
【背景技術】
【０００２】人間の舌と上あごとの間の吐息によるシーという摩擦共振音を媒体とするリモートコントロール装置により点灯制御することが有効な手段となる。かかる手段について同一出願人、同一考案者によりいくつかの考案がある。例えば実公昭５７−４８０８０，実公平５−１１６７５等である。
【発明の概要】
【発明が解決しようとする課題】
【０００３】乾電池を電源とすることが有効な手段となるが、闇夜で所在が判らない器具の電源スイッチを閉じて動作状態にすることは不可能なので、電源は投入したままとしておく必要がある。従来の技術によると最低で３ミリアンペア位の電流が流れているので１ケ月位で電池は消耗する不都合がある。実用的には１５０マイクロアンペア位以下に減少することが不可欠の手段となる問題点がある。
【課題を解決するための手段】
【０００４】音波を受信してその周波数に対応する交流電圧を発生する可動コイル型のマイクロホンと、該マイクロホンの出力をハイパスフイルタ回路を介して５〜８ＫＣ位以上の交流出力を得る電気回路と、該電気回路の交流出力をトランスとコンデンサとダイオードよりなる増巾整流回路により入力電圧の複数倍の高い電圧の直流電圧を得る整流回路と、該直流電圧により充電されるコンデンサと、該コンデンサの充電電圧が設定値を越えたときに、該充電電圧により導通されるＦＥＴ（電界効果型トランジスタ）と、該ＦＥＴの導通により電池より負荷を設定された時間だけ通電する装置とより構成されたものである。
【発明の効果】
【０００５】シーという発声により点灯するので、暗夜でも電灯を見付けることができる。特に地震等により室内灯が消灯したときに屋外脱出が容易となる。点灯しないときに制御回路による電力損失が僅少なので、電池が消耗して必要なときに使用できなくなる不都合が回避される。玩具に利用すると、シーという発声により人形の手足を動かすことができて有効な手段を供与できる。
【図面の簡単な説明】
【０００６】
【図１】本発明装置の電気回路図
【図２】ランプの通電制御回路図
【図３】本発明装置を携帯電灯に装着した外観図
【発明を実施するための形態】
【０００７】図１以降について本発明の実施形態の説明をする。図１において、記号２で略示したものは可動コイル型（ムービングコイル型）のマイクロホンで、矢印Ａ方向より音声波が入力されると、コイル２ａが振動して、入力音波に対応した誘導出力を発生する。この誘導出力は、記号１０で示すトランスにより増巾される。トランス１０はフエライトコアと１次、２次巻線を有する小型トランスで波高値を増巾する。増巾された２次出力Ｅはハイパスフイルタに入力される。コンデンサ３と抵抗４はハイパスフイルターで、抵抗４の両端の交流電圧は５〜８ＫＣ以上の入力が大部分となり、それ以下の入力は減少する。減少度を大きくする為には抵抗４に直列に点線で示すツエナダイオード４ａを挿入しておくことがよい。
【０００８】抵抗４が矢印Ｂ方向に通電されると、ダイオード６ａを介してコンデンサ５ａは図示の極性でＥの電圧に充電される。次に矢印Ｂと反対方向に通電されると、ダイオード６ｂを介してコンデンサ５ｃが２Ｅの電圧に充電される。次に矢印Ｂ方向に通電されると、ダイオード６ｃを介してコンデンサ５ｂは２Ｅの電圧に充電される。従って端子７ａ，７ｂ間の電圧は３Ｅとなる。上述したコンデンサの充電は、コンデンサの容量により時間に差があるが所定時間後に達成されるものである。
【０００９】端子７ａ，７ｂ間の電圧は３Ｅとなるが、ダイオード，コンデンサーを右方に同じ手段により複数段並置することにより、端子７ａ，７ｂ間の電圧を所要電圧まで上昇することができる。端子７ａ，７ｂの出力電圧により図２のコンデンサ１２が充電され、図１の矢印Ａで示す音声入力が１秒以上継続すると、ツエナダイオード８が導通して、ＦＥＴ１１のベース入力も上昇するので導通する。従って電池の正極９ａ負極９ｂ間に挿入されたランプ１３を点灯する。コンデンサ１２が抵抗１２ａにより放電すると、ＦＥＴは不導通に転化してランプ１３は消灯する。点灯時間は１０秒位である。これ以上の継続した点灯時間を必要とする場合には手動電気スイッチ１１ａを閉じて使用する。このときには暗くないので電気スイッチ１１ａの操作は容易である。上述した説明より理解されるように、非作動時に電池より流れる電流は僅少で、１００マイクロアンペア以下とすることができる。
【実施例】
【００１０】図３に示したのは本発明の手段の実施例で、携帯型の電灯に本発明装置を装着した場合である。図３において、本体２０には電池が収納され本体の上部２０ａ部には記号２で示すマイクロホン（図１で同一記号で示したもの）が装着され、又、図１，図２の電気回路も収納されている。手動電気スイッチ１９は図２で記号１１ａとして示されたものである。電気スイッチ１９の摘子を手動により上下にスライドすることにより点灯制御ができる。矢印Ｃは光の投射方向である。暗夜において、シーという音声により点灯するので、電灯をすぐ見付けることができるので手にとって利用することができる。【００１１】地震などの場合に室内灯が消灯したときに、シーという発声で点灯するので携帯して家屋外に脱出することが容易となる。大きい地震の場合には家屋の振動音で自動的に点灯するので尚有効な手段となる。
【符号の説明】
【００１２】２  マイクロホン
２ａ  可動コイル
７ａ，７ｂ  入出力端子
８，４ａ  ツエナダイオード
１１  ＦＥＴ
１３  ランプ
２０  本体
２０ａ  本体上部
１９，１１ａ  手動電気スイッチ
Ｃ  光の投射方向
１０  トランス
【図１】
2013187186.tif 000003
【図２】
2013187186.tif 000004
【図３】
2013187186.tif 000005